(57)【要約】【課題】一つの印刷情報に対して複数の権利者が設定する課金額情報を参照し、この課金額の合計値を印刷することで、柔軟な課金ができる印刷装置を提供すること。【解決手段】携帯電子機器が参照するネットワーク上の所定の情報が記録された記録場所を示す第１の場所情報を取得した印刷装置１００では、抽出手段１２１が第１の場所情報に基づき隠し情報を抽出する。処理手段１２２は、抽出手段１２１により抽出された隠し情報に含まれる複数の第３の場所情報に基づく参照先に存在する複数の課金金額を取得すると共に、該取得した複数の課金金額を合計する。印刷部１４０は、処理手段１２２が合計した合計値を課金金額として印刷する。【選択図】　　　図１
2004106425.tif 000002
【特許請求の範囲】
【請求項１】
ネットワークと接続され、携帯電子機器が参照する前記ネットワーク上の所定の情報が記録された記録場所を示す第１の場所情報に基づき前記所定の情報を取得して印刷する印刷装置において、
前記携帯電子機器から通知される前記第１の場所情報に、隠し情報として、印刷情報が記録された記録場所を示す第２の場所情報と、課金情報が記録された記録場所を示す第３の場所情報とが付加されている場合に、前記第１の場所情報から前記隠し情報を抽出する抽出手段と、
前記抽出手段により抽出された隠し情報に含まれる前記第３の場所情報に基づく参照先に存在する課金金額を取得する処理手段と、
前記処理手段により取得された課金金額を印刷する印刷手段と
を備えたことを特徴とする印刷装置。
【請求項２】
ネットワークと接続され、携帯電子機器が参照する前記ネットワーク上の所定の情報が記録された記録場所を示す第１の場所情報に基づき前記所定の情報を取得して印刷する印刷装置において、
前記携帯電子機器から通知される前記第１の場所情報に、隠し情報として、印刷情報が記録された記録場所を示す第２の場所情報と、課金情報が記録された記録場所を示す複数の第３の場所情報とが付加されている場合に、前記第１の場所情報から前記隠し情報を抽出する抽出手段と、
前記抽出手段により抽出された隠し情報に含まれる前記複数の第３の場所情報に基づく参照先に存在する複数の課金金額を取得すると共に、該取得した複数の課金金額を合計する処理手段と、
前記処理手段が合計した合計値を課金金額として印刷する印刷手段と
を備えたことを特徴とする印刷装置。
【請求項３】
ネットワークと接続され、携帯電子機器が参照する前記ネットワーク上の所定の情報が記録された記録場所を示す第１の場所情報に基づき前記所定の情報を取得して印刷する印刷装置において、
前記携帯電子機器から通知される前記第１の場所情報に、隠し情報として、印刷情報が記録された記録場所を示す第２の場所情報と、課金情報が記録された記録場所を示す第３の場所情報とが付加され、かつ前記第３の場所情報の参照先に、次の課金情報または次以降の課金情報が記録された記録場所を示す第４の場所情報および課金金額、または前記第４の場所情報が記述されている場合に、前記第１の場所情報から前記隠し情報を抽出する抽出手段と、
前記抽出手段により抽出された隠し情報に含まれる前記第３の場所情報の参照先に存在する課金金額を取得し、該取得した課金金額を合計する処理手段と、
前記処理手段が合計した合計値を課金金額として印刷する印刷手段と
を備えたことを特徴とする印刷装置。
【請求項４】
ネットワークと接続され、携帯電子機器が参照する前記ネットワーク上の所定の情報が記録された記録場所を示す第１の場所情報に基づき前記所定の情報を取得して印刷する印刷装置において、
前記携帯電子機器から通知される前記第１の場所情報に、隠し情報として、印刷情報が記録された記録場所を示す第２の場所情報と、課金情報が記録された記録場所を示す複数の第３の場所情報とが付加され、かつ前記複数の第３の場所情報の参照先に、次の課金情報または次以降の課金情報が記録された記録場所を示す複数の第４の場所情報および課金金額、または前記複数の第４の場所情報が記述されている場合に、前記第１の場所情報から前記隠し情報を抽出する抽出手段と、
前記抽出手段により抽出された隠し情報に含まれる前記第３の場所情報の参照先に存在する複数の課金金額を取得し、該取得した複数の課金金額を合計する処理手段と、
前記処理手段が合計した合計値を課金金額として印刷する印刷手段と
を備えたことを特徴とする印刷装置。
【発明の詳細な説明】
【０００１】
【発明の属する技術分野】
本発明は、ネットワークと接続され、携帯電子機器が参照する前記ネットワーク上の所定の情報が記録された記録場所を示す場所情報に基づき前記所定の情報を取得して印刷する印刷装置に関する。
【０００２】
【従来の技術】
携帯電話に代表される携帯電子機器の普及がめざましい。携帯電子機器は、パーソナルコンピュータとは異なり、単一目的の用途に特化させる代わりに、コンパクトで非常に使い易くなっている。このような携帯電子機器としては、携帯電話、ＰＤＡ（Ｐｅｒｓｏｎａｌ　Ｄｉｇｉｔａｌ　Ａｓｓｉｓｔａｎｃｅ）などがあり、これらの携帯電子機器は、電話、スケジュール管理、住所録、電話帳などの機能を有している。
【０００３】
これらの携帯電子機器の最近の傾向として、インターネットへの対応がみられる。例えば、電子メールで世界中の人達とメール通信をリアルタイムかつどこでも行うことができるようになっているし、Ｗｅｂブラウザでインターネット上の情報をダイレクトに検索したりデータを引き出すことができる。
【０００４】
現在では、このような携帯電子機器の情報伝達機能を応用して、インターネット上で提供されているオンラインショッピングやチケット手配、銀行振込さえ携帯電子機器でできるようになっている。
【０００５】
このような携帯電子機器は上述したように便利な情報入出力装置として利用されているが、現在使用されている携帯電子機器には、印刷出力するプリンタ等の印刷手段が提供されていないという問題がある。これは携帯電子機器が単一目的に特化されたが故に、プリンタを使用するためのソフトウェア（プリンタドライバ）が搭載されておらず、他方、その携帯性を重視したため、プリンタと接続する例えばコネクタ等のハードウェアが完備されていないことにより、携帯電子機器でプリンタを動作させることができないということである。
【０００６】
また、携帯電子機器は携帯性を重視する結果、操作パネルも一般的に小さなものしか装備されておらず、そのため参照している情報を大きなスケールで見たいとか、手元に紙で残して置きたいといった要求が特に強いにも拘わらず、携帯電子機器は非常に安価なため、本体の数倍〜数十倍も高価な専用プリンタを購入することは利用者にとって論外なものであり、要求実現のための対策がなされていないのが現状である。
【０００７】
また、コンビニエンスストアや一般オフィスにおいて導入されているコピー機は、現在ほとんどデジタル化が完了してＭＦＰ（Ｍｕｌｔｉ　Ｆｕｎｃｔｉｏｎ　Ｐｅｒｉｐｈｅｒａｌ：多機能周辺機器）化しており、パーソナルコンピュータやその他のデバイスの印刷要求に応じた印刷機能を持つものがほとんどで、さらにネットワークに接続され、イントラネット／インターネット上で共有されることが多い。
【０００８】
そこで、このようなコンビニエンスストアやオフィスに設置されたＭＦＰと携帯電子機器を接続し、印刷手段を提供するシステム（プリンティングシステム）が提案されている。
【０００９】
このようなプリンティングシステムとしては、印刷装置が、印刷対価計算用データを保持し、コンテンツサーバから受信した印刷用コンテンツを印刷した際に、前記印刷計算用データを参照して印刷対価金額を算出し、算出した印刷対価金額を表示手段に表示するようにしたものが知られている（例えば、特許文献１参照）。
【００１０】
【特許文献１】
特開２００２−１０３７５２号公報
【００１１】
【発明が解決しようとする課題】
ところが、上記公報に記載されたプリンティングシステムを含む従来のプリンティングシステムにおいては、インターネット上の所望の情報（印刷情報）を取得して印刷する場合、該所望の情報に関わる権利関係の複雑性により、複数の権利者それぞれが設定した課金金額を合計したものとなることが多い。そのため、権利者それぞれが所望の情報の課金金額に最終合意するには非常に多くの時間を要するという問題がある。また、複数の権利者のうち特定の権利者が所望の情報を提供中に要求課金金額を変更した場合、インターネット上の全ての所望の情報に含まれる課金金額を再計算し、変更しなければならないので、課金金額の変更に手間がかかるという問題がある。
【００１２】
さらに、所望の情報に対応して特定の権利者のみが課金金額を設定している場合において、特定の権利者が要求課金金額を変更したときは、インターネット上の全ての所望の情報に含まれる課金金額を変更しなければならないので、課金金額の変更に手間がかかるという問題がある。
【００１３】
そこで、本発明は上記に鑑みてなされたものであって、ネットワーク上の所望の情報に関わる課金金額が変更された場合であっても、課金金額の変更を容易に行うことができる印刷装置を提供することを第１の目的とする。
【００１４】
また、本発明は、一つの印刷情報に対して複数の権利者が設定する課金額情報を参照し、この課金額の合計値を印刷することで、柔軟な課金ができる印刷装置を提供することを第２の目的とする。
【００１５】
【課題を解決するための手段】
上記した課題を解決し、目的を達成するため、請求項１に記載の発明にかかる印刷装置は、ネットワークと接続され、携帯電子機器が参照する前記ネットワーク上の所定の情報が記録された記録場所を示す第１の場所情報に基づき前記所定の情報を取得して印刷する印刷装置において、前記携帯電子機器から通知される前記第１の場所情報に、隠し情報として、印刷情報が記録された記録場所を示す第２の場所情報と、課金情報が記録された記録場所を示す第３の場所情報とが付加されている場合に、前記第１の場所情報から前記隠し情報を抽出する抽出手段と、前記抽出手段により抽出された隠し情報に含まれる前記第３の場所情報に基づく参照先に存在する課金金額を取得する処理手段と、前記処理手段により取得された課金金額を印刷する印刷手段とを備えたことを特徴とする。
【００１６】
この請求項１に記載の発明によれば、処理手段が、抽出手段により抽出された隠し情報に含まれる、上記第３の場所情報に基づく参照先に存在する課金金額を取得するようにしたので、課金金額が改定された場合であっても、前記第３の場所情報に基づく参照先に存在する課金金額を変更するのみで良い。
【００１７】
請求項２に記載の発明にかかる印刷装置は、ネットワークと接続され、携帯電子機器が参照する前記ネトワーク上の所定の情報が記録された記録場所を示す第１の場所情報に基づき前記所定の情報を取得して印刷する印刷装置において、前記携帯電子機器から通知される前記第１の場所情報に、隠し情報として、印刷情報が記録された記録場所を示す第２の場所情報と、課金情報が記録された記録場所を示す複数の第３の場所情報とが付加されている場合に、前記第１の場所情報から前記隠し情報を抽出する抽出手段と、前記抽出手段により抽出された隠し情報に含まれる前記複数の第３の場所情報に基づく参照先に存在する複数の課金金額を取得すると共に、該取得した複数の課金金額を合計する処理手段と、前記処理手段が合計した合計値を課金金額として印刷する印刷手段とを備えたことを特徴とする。
【００１８】
この請求項２に記載の発明によれば、処理手段が、抽出手段により抽出された隠し情報に含まれる上記複数の第３の場所情報に基づく参照先に存在する複数の課金金額を取得すると共に、該取得した複数の課金金額を合計するようにしたので、複数の課金金額設定権利者に対応してそれぞれ課金金額を設定することができ、しかも、課金金額が改定された場合であっても、前記第３の場所情報に基づく参照先に存在する課金金額を変更するのみで良い。
【００１９】
請求項３に記載の発明にかかる印刷装置は、ネットワークと接続され、携帯電子機器が参照する前記ネットワーク上の所定の情報が記録された記録場所を示す第１の場所情報に基づき前記所定の情報を取得して印刷する印刷装置において、前記携帯電子機器から通知される前記第１の場所情報に、隠し情報として、印刷情報が記録された記録場所を示す第２の場所情報と、課金情報が記録された記録場所を示す第３の場所情報とが付加され、かつ前記第３の場所情報の参照先に、次の課金情報または次以降の課金情報が記録された記録場所を示す第４の場所情報および課金金額、または前記第４の場所情報が記述されている場合に、前記第１の場所情報から前記隠し情報を抽出する抽出手段と、前記抽出手段により抽出された隠し情報に含まれる前記第３の場所情報の参照先に存在する課金金額を取得し、該取得した課金金額を合計する処理手段と、前記処理手段が合計した合計値を課金金額として印刷する印刷手段とを備えたことを特徴とする。
【００２０】
この請求項３に記載の発明によれば、処理手段が、抽出手段により抽出された隠し情報に含まれる上記第３の場所情報の参照先、すなわち上記第４の場所情報および課金金額、または前記第４の場所情報に基づく課金金額を取得し、該取得した課金金額を合計するようにしたので、課金金額の内部構造（コスト分担）を明確にすることができ、しかも、課金金額が改定された場合であっても、前記第３の場所情報に基づく参照先に存在する課金金額を変更するのみで良い。
【００２１】
請求項４に記載の発明にかかる印刷装置は、ネットワークと接続され、携帯電子機器が参照する前記ネットワーク上の所定の情報が記録された記録場所を示す第１の場所情報に基づき前記所定の情報を取得して印刷する印刷装置において、前記携帯電子機器から通知される前記第１の場所情報に、隠し情報として、印刷情報が記録された記録場所を示す第２の場所情報と、課金情報が記録された記録場所を示す複数の第３の場所情報とが付加され、かつ前記複数の第３の場所情報の参照先に、次の課金情報または次以降の課金情報が記録された記録場所を示す複数の第４の場所情報および課金金額、または前記複数の第４の場所情報が記述されている場合に、前記第１の場所情報から前記隠し情報を抽出する抽出手段と、前記抽出手段により抽出された隠し情報に含まれる前記第３の場所情報の参照先に存在する複数の課金金額を取得し、該取得した複数の課金金額を合計する処理手段と、前記処理手段が合計した合計値を課金金額として印刷する印刷手段とを備えたことを特徴とする。
【００２２】
この請求項４に記載の発明によれば、処理手段が、抽出手段により抽出された隠し情報に含まれる上記複数の第３の場所情報の参照先、すなわち上記複数の第４の場所情報および課金金額、または前記複数の第４の場所情報に基づく複数の課金金額を取得し、該取得した複数の課金金額を合計するようにしたので、複数の課金金額設定権利者に対応してそれぞれ課金金額を設定することができると共に、課金金額の内部構造（コスト分担）を明確にすることができ、さらに、課金金額が改定された場合であっても、前記第３の場所情報に基づく参照先に存在する課金金額を変更するのみで良い。
【００２３】
【発明の実施の形態】
以下に添付図面を参照して、この発明にかかる印刷装置の好適な実施の形態を詳細に説明する。
【００２４】
（実施の形態１）
図１は、この発明の実施の形態１に係る印刷装置の概略構成を示す構成図である。図１に示す印刷装置１００において、操作部１１０は、ユーザへの表示機能や入力機能（「印刷ボタン」など）を有する。
【００２５】
記憶部１３０は、後述する中央処理部１２０が制御するために必要なプログラムや各種データを記憶するＲＯＭ１３１と、中央処理部１２０が取得した情報を記憶するための領域や、作業領域が割り当てられるＲＡＭ１３２とを有している。
【００２６】
印刷部１４０は、中央処理部１２０から印刷処理要求および印刷情報を受け印刷を行うと共に、中央処理部１２０へ現在の印刷枚数を通知する。
【００２７】
インタフェース部１５０は、後述する携帯電子機器２００（図２参照）と一対一で接続するためのインタフェースであり、中央処理部１２０の要求を携帯電子機器２００に伝えると共に、携帯電子機器２００からの応答を中央処理部１２０に伝える。
【００２８】
ネットワークインタフェース部１６０は、固有のネットワーク識別子を有し、ネットワークに接続するための機構を備えている。このネットワークインタフェース部１６０は、他のＯＡ機器や携帯電子機器との間で情報の伝達が可能であり、さらに、中央処理部１２０からの要求をネットワークに送出すると共に、ネットワークからの情報を中央処理部１２０に伝達する。
【００２９】
中央処理部１２０は、抽出手段１２１および処理手段１２２を有し、装置全体を統括的に制御する。また、中央処理部１２０は、印刷部１４０へ印刷処理要求を発行すると共に、操作部１１０を通して利用者の要求を受け付け、かつ印刷装置の状態や警告を通告する。さらに、中央処理部１２０は、インタフェース部１５０を通して携帯電子機器と一対一で通信することができると共に、ネットワークインタフェース部１６０を通してネットワークに接続されたＯＡ機器や携帯電子機器などの他の機器との間で通信することができる。
【００３０】
抽出手段１２１は、携帯電子機器２００（図２参照）から通知されるネットワーク３００上の情報の記録場所を示す第１の場所情報に基づいて、隠し情報（これについては後述する）を抽出する。
【００３１】
処理手段１２２は、抽出手段１２１により抽出された隠し情報に基づいて印刷高解像度情報（イメージ）の記録場所を示す第２の場所情報と、課金情報の記録場所を示す第３の場所情報を取得する。また、処理手段１２２は、前記取得した第２の場所情報に基づき印刷情報（印刷高解像度情報）を取得する共に、前記取得した第３の場所情報に基づき課金情報を取得し、さらに該課金情報に基づく課金金額を取得する。なお、処理手段１２２は、データの秘密保持のため例えばＳＳＬ（Ｓｅｃｕｒｅ　Ｓｏｃｋｅｔ　Ｌａｙｅｒ）通信手段（セキュリティ手段）を用いて、第２の場所情報にアクセスして印刷情報（印刷高解像度情報）すると共に、第３の場所情報にアクセスして課金情報を取得する。
【００３２】
図２は、印刷装置１００を含む印刷システムの概略構成を示す構成図である。この印刷システムにおいては、印刷装置１００が、例えば携帯電話などの携帯電子機器２００と一対一に接続されていると共に、インターネットなどのネットワーク３００とネットワーク接続されている。携帯電子機器２００は、印刷装置１００を介してネットワーク３００と接続されるようになっている。
【００３３】
この実施の形態１においては、携帯電子機器２００が参照する情報が記録された記録場所を示す第１の場所情報（ＵＲＬ（Ｕｎｉｆｏｒｍ　Ｒｅｓｏｕｒｃｅ　Ｌｏｃａｔｏｒ））には、隠し情報として、印刷高解像度情報（イメージ）が記録された記録場所を示す第２の場所情報（ＵＲＬ）と、課金情報が記録された記録場所を示す第３の場所情報（ＵＲＬ）とが、マークアップ言語で記述されたＸＭＬ（Ｅｘｔｅｎｓｉｂｌｅ　Ｍａｒｋｕｐ　Ｌａｎｇｕａｇｅ）データとして付加されている。
【００３４】
なお、以下の説明においては、携帯電子機器２００が参照するＵＲＬ（第１の場所情報）をＵＲＬ（Ｒｅｆ）と呼び、印刷用高解像度イメージの記録場所を示すＵＲＬ（第２の場所情報）を印刷ＵＲＬと呼び、課金情報の記録場所を示すＵＲＬ（第３の場所情報）を課金参照先ＵＲＬと呼ぶことにする。
【００３５】
印刷装置１００は、携帯電子機器２００から通知されたＵＲＬ（Ｒｅｆ）を基に、印刷ＵＲＬおよび課金参照先ＵＲＬを抽出し、この抽出した情報に基づいて課金情報を取得すると共に該課金情報を基に課金金額を取得し、さらに該課金金額を印刷するという課金金額印刷処理を実行するようになっている。この課金金額印刷処理には４つの処理パターンが含まれているので、次に、それらの処理について順次説明する。
【００３６】
最初に、印刷装置１００による課金金額印刷処理（第１の処理パターン）について、図３を参照して説明する。図３は、課金金額印刷処理動作を示すフローチャートである。
【００３７】
携帯電子機器（例えば携帯電話）２００は、携帯電話通信回線網を介してネットワーク（例えばインターネット）３００上の所望の情報の場所情報（ＵＲＬ（Ｒｅｆ））を参照し（ステップＳ１０１）、このＵＲＬ（Ｒｅｆ）を印刷装置１００に伝達する（ステップＳ１０２）。
【００３８】
この場合、携帯電子機器２００が参照している情報の場所情報（ＵＲＬ（Ｒｅｆ））は、次のように表されるものとする。
ｈｔｔｐ：／／ｗｗｗ．ａｂｃｄ．ｃｏ．ｊｐ／ｐｒｉｎｔｅｒ．ｈｔｍｌ
【００３９】
印刷装置１００では、中央処理部１２０が、ネットワークインタフェース部１６０を通して携帯電子機器２００からのＵＲＬ（Ｒｅｆ）を取得し（ステップＳ１０３）、このＵＲＬ（Ｒｅｆ）を参照することにより、携帯電子機器用のホスト内ディレクトリｐｒｉｎｔｅｒ．ｈｔｍｌを取得する（ステップＳ１０４）。
【００４０】
このｐｒｉｎｔｅｒ．ｈｔｍｌの内容は例えば図４に示す内容で表されるものとする。この図４において、ＰＲＩＮＴＩＭＡＧＥタグ内のＰＲＩＮＴ＿ＵＲＬが印刷ＵＲＬを表し、また、ＰＲＩＮＴＩＭＡＧＥタグ内のｋａｋｉｎが課金参照先ＵＲＬを表す。
【００４１】
さて、印刷装置１００では、中央処理部１２０が、ホスト内ディレクトリｐｒｉｎｔｅｒ．ｈｔｍｌの中から、ＸＭＬ解析アルゴリズムを用いてＰＲＩＮＴＩＭＡＧＥタグを抽出し（ステップＳ１０５）、この抽出したタグ内から印刷ＵＲＬと課金参照先ＵＲＬを断定する（ステップＳ１０６）。
【００４２】
中央処理部１２０は、抽出した印刷ＵＲＬへアクセスして印刷情報（印刷用高解像度情報）を取得すると共に（ステップＳ１０７）、抽出した課金参照先ＵＲＬへアクセスして課金情報を取得する（ステップＳ１０８）。
【００４３】
取得した課金情報は、例えば図５に示す内容で表されるものとする。この図５に示す課金情報において、ＰＲＩＮＴＫＡＫＩＮタグ内のＫＡＫＩＮが課金金額を表す。この場合、課金金額は１００円である。
【００４４】
このようにして課金情報を取得した印刷装置１００は、印刷時に課金情報に基づく課金金額を利用者に課金した後、印刷する。つまり、取得した印刷情報の印刷を実行すると共に、取得した課金情報に基づく課金金額の印刷を実行する（ステップＳ１０９）。
【００４５】
次に、印刷装置１００による課金金額印刷処理（第２の処理パターン）について、図６を参照して説明する。図６は、課金金額印刷処理動作を示すフローチャートである。
【００４６】
携帯電子機器２００が、上記ステップＳ１０１、Ｓ１０２の処理と同様に、参照しているＵＲＬ（Ｒｅｆ）を印刷装置１００に伝達する（ステップＳ２０１、Ｓ２０２）。
【００４７】
印刷装置１００では、中央処理部１２０が、上記ステップＳ１０３、Ｓ１０４の処理と同様の処理を実行する（ステップＳ２０３、Ｓ２０４）。この場合、ホスト内ディレクトリｐｒｉｎｔｅｒ．ｈｔｍｌの内容は例えば図７に示す内容で表されるものとする。この図７において、ＰＲＩＮＴＩＭＡＧＥタグ内のＰＲＩＮＴ＿ＵＲＬが印刷ＵＲＬを表し、またＰＲＩＮＴＩＭＡＧＥタグ内のｋａｋｉｎが課金参照先ＵＲＬを表す。なお、このホスト内ディレクトリｐｒｉｎｔｅｒ．ｈｔｍｌの内容には、複数の課金参照先ＵＲＬを記述することができる。この例では２つの課金参照先ＵＲＬが記述されている。
【００４８】
さて、中央処理部１２０が、ホスト内ディレクトリｐｒｉｎｔｅｒ．ｈｔｍｌの中から、ＸＭＬ解析アルゴリズムを用いてＰＲＩＮＴＩＭＡＧＥタグを抽出し（ステップＳ２０５）、この抽出したタグ内から印刷ＵＲＬと複数の課金参照先ＵＲＬを断定すると共に（ステップＳ２０６）、当該複数の課金参照先ＵＲＬを記憶部１３０のＲＡＭ１３２に保存する（ステップＳ２０７）。
【００４９】
次に、中央処理部１２０は、抽出した印刷ＵＲＬへアクセスして印刷情報（印刷用高解像度情報）を取得すると共に（ステップＳ２０８）、上記保存した複数の課金参照先ＵＲＬに対して順次アクセスして課金情報を取得し、この課金情報に基づく課金金額を保存する（ステップＳ２０９、Ｓ２１０）。
【００５０】
ここで、課金参照先ＵＲＬがｈｔｔｐ：／／ｗｗｗ．ａｂｃｄ．ｃｏ．ｊｐ／ｐｒｉｎｔｅｒ＿ｐ＿ｋａｋｉｎ１．ｈｔｍｌ（図７参照）の場合の課金情報は、例えば図８に示す内容で表されるものとする。この図８に示す課金情報において、ＰＲＩＮＴＫＡＫＩＮタグ内のＫＡＫＩＮが課金金額を表し、この場合、課金金額は１００円である。
【００５１】
また、課金参照先ＵＲＬがｈｔｔｐ：／／ｗｗｗ．ａｂｃｄ．ｃｏ．ｊｐ／ｐｒｉｎｔｅｒ＿ｐ＿ｋａｋｉｎ２．ｈｔｍｌ（図７参照）の場合の課金情報は、例えば図９に示す内容で表されるものとする。この図９に示す課金情報において、ＰＲＩＮＴＫＡＫＩＮタグ内のＫＡＫＩＮが課金金額を表す。この場合、課金金額は２００円である。
【００５２】
ところで、中央処理部１２０は、ステップＳ２１０において全ての課金参照先ＵＲＬへアクセスしたと判断した場合（ステップＳ２１０の「ＹＥＳ」の判断の場合）は、保存してある複数の課金金額を合計する（ステップＳ２１１）。この例では、複数の課金金額の合計は３００円となる。
【００５３】
その後、印刷装置１００は、印刷時に課金情報に基づく課金金額（合計金額）を利用者に課金した後、印刷する。つまり、印刷部１４０が、取得した印刷情報の印刷を実行すると共に、取得した複数の課金情報に基づく課金金額（合計金額）の印刷を実行する（ステップＳ２１２）。
【００５４】
次に、印刷装置１００による課金金額印刷処理（第３の処理パターン）について、図１０を参照して説明する。図１０は、課金金額印刷処理動作を示すフローチャートである。
【００５５】
携帯電子機器２００が、上記ステップＳ１０１、Ｓ１０２の処理と同様に、参照しているＵＲＬ（Ｒｅｆ）を印刷装置１００に伝達する（ステップＳ３０１、３０２）。
【００５６】
印刷装置１００では、中央処理部１２０が、上記ステップＳ１０３〜Ｓ１０７の処理と同様に、取得したホスト内ディレクトリｐｒｉｎｔｅｒ．ｈｔｍｌの中からＰＲＩＮＴＩＭＡＧＥタグを抽出し、この抽出結果に基づいて印刷ＵＲＬと複数の課金参照先ＵＲＬを断定し、さらに印刷ＵＲＬへアクセスして印刷情報（印刷用高解像度情報）を取得する（ステップＳ３０３〜Ｓ３０７）。
【００５７】
この場合、ホスト内ディレクトリｐｒｉｎｔｅｒ．ｈｔｍｌの内容は例えば図１１に示す内容で表されるものとする。この図１１において、ＰＲＩＮＴＩＭＡＧＥタグ内のＰＲＩＮＴ＿ＵＲＬが印刷ＵＲＬを表し、またＰＲＩＮＴＩＭＡＧＥタグ内のｋａｋｉｎが課金参照先ＵＲＬを表す。
【００５８】
さて、ステップＳ３０７を終了した中央処理部１２０は、最終課金金額＝０と定義した後（ステップＳ３０８）、取得した課金参照先ＵＲＬへアクセスして課金情報を取得すると共に、この取得した課金情報に基づく課金金額を取得し（ステップＳ３０９）、さらに、現在の最終課金金額に取得した課金金額を加算する（ステップＳ３１０）。
【００５９】
ステップＳ３１０を終了した中央処理部１２０は、取得した課金情報の内容におけるＰＲＩＮＴＫＡＫＩＮタグ内に新たな課金参照先ＵＲＬが記述されているか否かを判断し（ステップＳ３１１）、新たな課金参照先ＵＲＬが記述されていると判断した場合には、上記ステップＳ３０９に戻る。
【００６０】
ステップＳ３１１において新たな課金参照先ＵＲＬが記述されていないと判断された場合、印刷装置１００は、印刷時に最終課金金額を利用者に課金した後、印刷する。つまり、印刷部１４０が、取得した印刷情報の印刷を実行すると共に、取得した最終課金金額の印刷を実行する（ステップＳ３１２）。
【００６１】
ところで、この課金金額印刷処理（第３の処理パターン）においては、課金参照先ＵＲＬの課金情報は、次の３つのパターンに分かれている。
【００６２】
パターン１の課金情報は、例えば図１２に示す内容で表されるものとする。この図１２に示す課金情報において、ＰＲＩＮＴＫＡＫＩＮタグ内のＫＡＫＩＮが課金金額を表す。この場合、課金金額は１００円である。
【００６３】
ここで、図１０を参照して説明する。ステップＳ３０９の処理において、課金参照先ＵＲＬに基づく課金情報が上記パターン１の課金情報であった場合には、ステップＳ３１０、ステップＳ３１１の「ＮＯ」の判断およびステップＳ３１２へと処理が進む。その結果、最終課金金額（この例では１００円）が利用者に課金された後、印刷が実行される。
【００６４】
パターン２の課金情報は、例えば図１３に示す内容で表されるものとする。この図１３に示す課金情報においては、ＰＲＩＮＴＫＡＫＩＮタグ内に新たな課金参照先ＵＲＬ（ｈｔｔｐ：／／ｗｗｗ．ａｂｃｄ．ｃｏ．ｊｐ／ｐｒｉｎｔｅｒ＿ｐ＿ｋａｋｉｎ２．ｈｔｍｌ）が記述されている。すなわち、ＰＲＩＮＴＫＡＫＩＮタグ内のＫＡＫＩＮは課金金額そのものではなく、新たな課金参照先ＵＲＬとして記述されている。
【００６５】
なお、課金参照先ＵＲＬに基づく課金情報におけるＰＲＩＮＴＫＡＫＩＮタグ内に記述されている新たな課金参照先ＵＲＬに基づく課金情報におけるＰＲＩＮＴＫＡＫＩＮタグ内に、課金金額そのもの、または、さらに新たな課金参照先ＵＲＬが記述されていてもよい。
【００６６】
ここで、図１０を参照して説明する。ステップＳ３０９の処理において、課金参照先ＵＲＬに基づく課金情報が上記パターン２の課金情報であった場合には、ステップＳ３１０、ステップＳ３１１の「ＹＥＳ」、ステップＳ３０９へと処理が進み、課金金額を取得できるまで、その処理が繰り返される。この場合、課金金額が取得されなかった場合（新たな課金参照先ＵＲＬを取得した場合）には、ステップＳ３０９の処理において、取得した課金金額は０ということになる。そして、ＰＲＩＮＴＫＡＫＩＮタグ内に新たな課金参照先ＵＲＬが記述されておらず、課金金額を取得できた場合には、ステップＳ３１０にて、現在の最終課金金額に、ステップＳ３０９において取得された課金情報に基づく課金金額が加算される。最後にステップＳ３１２に進む。
【００６７】
パターン３の課金情報は、例えば図１４に示す内容で表されるものとする。この図１４に示す課金情報においては、ＰＲＩＮＴＫＡＫＩＮタグ内に課金金額と新たな課金参照先ＵＲＬ（ｈｔｔｐ：／／ｗｗｗ．ａｂｃｄ．ｃｏ．ｊｐ／ｐｒｉｎｔｅｒ＿ｐ＿ｋａｋｉｎ２．ｈｔｍｌ）とが記述されている。すなわち、ＰＲＩＮＴＫＡＫＩＮタグ内の２つのＫＡＫＩＮにおいては、１つは課金金額（１００円）そのもので記述され、もう一つは課金金額そのものではなく、新たな課金参照先ＵＲＬとして記述されている。
【００６８】
なお、課金参照先ＵＲＬに基づく課金情報におけるＰＲＩＮＴＫＡＫＩＮタグ内に記述されている新たな課金参照先ＵＲＬに基づく課金情報におけるＰＲＩＮＴＫＡＫＩＮタグ内に、課金金額そのもの、または、さらに新たな課金参照先ＵＲＬが記述されていてもよい。
【００６９】
ここで、図１０を参照して説明する。ステップＳ３０９の処理において、課金参照先ＵＲＬに基づく課金情報が上記パターン３の課金情報であった場合には、ステップＳ３１０、ステップＳ３１１の「ＹＥＳ」、ステップＳ３０９へと進み、全ての課金金額が取得できるまで、その処理が繰り返される。この場合、上記新たな課金参照先ＵＲＬについてステップＳ３０９以降の処理が実行されることになる。この新たな課金参照先ＵＲＬについても、課金金額が取得されなかった場合（さらに新たな課金参照先ＵＲＬを取得した場合）には、ステップＳ３０９の処理において、取得した課金金額は０ということになる。そして、ＰＲＩＮＴＫＡＫＩＮタグ内に新たな課金参照先ＵＲＬが記述されておらず、課金金額を取得できた場合には、ステップＳ３１０にて、現在の最終課金金額に、ステップＳ３０９において取得された課金情報に基づく課金金額が加算される。最後にステップＳ３１２に進む。
【００７０】
次に、印刷装置１００による課金金額印刷処理（第４の処理パターン）について、図１５を参照して説明する。図１５は、課金金額印刷処理動作を示すフローチャートである。
【００７１】
携帯電子機器２００が、上記ステップＳ２０１、Ｓ２０２の処理と同様に、参照しているＵＲＬ（Ｒｅｆ）を印刷装置１００に伝達する（ステップＳ４０１、Ｓ４０２）。
【００７２】
印刷装置１００では、中央処理部１２０が、上記ステップＳ２０３〜Ｓ２０８の処理と同様に、取得したホスト内ディレクトリｐｒｉｎｔｅｒ．ｈｔｍｌの中からＰＲＩＮＴＩＭＡＧＥタグを抽出し、この抽出結果に基づいて印刷ＵＲＬと複数の課金参照先ＵＲＬを断定すると共に、当該複数の課金参照先ＵＲＬを保存し、さらに断定した印刷ＵＲＬへアクセスして印刷情報（印刷用高解像度情報）を取得する（ステップＳ４０３〜Ｓ４０８）。
【００７３】
この場合、ホスト内ディレクトリｐｒｉｎｔｅｒ．ｈｔｍｌの内容は例えば図１６に示す内容で表されるものとする。この図１６において、ＰＲＩＮＴＩＭＡＧＥタグ内のＰＲＩＮＴ＃ＵＲＬが印刷ＵＲＬを表し、また、ＰＲＩＮＴＩＭＡＧＥタグ内のｋａｋｉｎが課金参照先ＵＲＬを表す。なお、このホスト内ディレクトリｐｒｉｎｔｅｒ．ｈｔｍｌの内容には、複数の課金参照先ＵＲＬを記述することができる。この例では２つの課金参照先ＵＲＬが記述されている。
【００７４】
さて、ステップＳ４０８を終了した中央処理部１２０は、最終課金金額＝０と定義した後（ステップＳ４０９）、上記保存した複数の課金参照先ＵＲＬに対して順次アクセスして課金情報を取得する。中央処理部１２０は、前記複数の課金参照先ＵＲＬにおける特定の課金参照先ＵＲＬにアクセスして、課金情報を取得すると共に、該取得した課金情報に基づいて課金金額を取得し（ステップＳ４１０）、現在の最終課金金額に取得した課金金額を加算する（ステップＳ４１１）。
【００７５】
さらに、中央処理部１２０は、上記取得した課金情報の内容におけるＰＲＩＮＴＫＡＫＩＮタグ内に新たな課金参照先ＵＲＬが記述されているか否かを判断し（ステップＳ４１２）、新たな課金参照先ＵＲＬが記述されていると判断した場合には、上記ステップＳ４１０に戻る。
【００７６】
ステップＳ４１２において新たな課金参照先ＵＲＬが記述されていないと判断した中央処理部１２０は、上記複数の課金参照先ＵＲＬへアクセスしたか否かを判断し（ステップＳ４１３）、アクセスすべき課金参照先ＵＲＬが存在する場合には、全ての課金参照先ＵＲＬに対してアクセスすべく、前記複数の課金参照先ＵＲＬにおける次の特定の課金参照先ＵＲＬにアクセスして、上記ステップＳ４１０〜ステップＳ４１２の処理と同様の処理を実行する。
【００７７】
そして、ステップＳ４１３において全ての課金参照先ＵＲＬにアクセスしたと判断された場合、印刷装置１００は、印刷時に最終課金金額を利用者に課金した後、印刷する。つまり、印刷部１４０が、取得した印刷情報の印刷を実行すると共に、取得した最終課金金額の印刷を実行する（ステップＳ４１４）。
【００７８】
ところで、この課金金額印刷処理（第４の処理パターン）においては、課金参照先ＵＲＬの課金情報は、次の３つのパターンに分かれている。
【００７９】
ここでは、図１６において、ｈｔｔｐ：／／ｗｗｗ．ａｂｃｄ．ｃｏ．ｊｐ／ｐｒｉｎｔｅｒ＿ｐ＿ｋａｋｉｎ１．ｈｔｍｌの課金参照先ＵＲＬ（これを第１の課金参照先ＵＲＬとする）の課金情報について説明する。なお、ｈｔｔｐ：／／ｗｗｗ．ａｂｃｄ．ｃｏ．ｊｐ／ｐｒｉｎｔｅｒ＿ｐ＿ｋａｋｉｎ１．ｈｔｍｌの課金参照先ＵＲＬ（これを第２の課金参照先ＵＲＬとする）の課金情報も同様である。
【００８０】
パターン１の課金情報は、例えば図１７に示す内容で表されるものとする。この図１７に示す課金情報において、ＰＲＩＮＴＫＡＫＩＮタグ内のＫＡＫＩＮが課金金額を表している。この場合、課金金額は１００円である。
【００８１】
ここで、図１５を参照して説明する。ステップＳ４１０の処理において、第１の課金参照先ＵＲＬに基づく課金情報が上記パターン１の課金情報であった場合には、ステップＳ４１０およびステップＳ４１１にて、第１の課金参照先ＵＲＬのＰＲＩＮＴＫＡＫＩＮタグ内のＫＡＫＩＮが課金金額（この例では１００円）そのものを表しているので、最終課金金額に取得した課金金額１００円が加算される。次に、ステップＳ４１２においては、前記ＫＡＫＩＮが課金金額（この例では１００円）そのものを表しているので、新たな課金参照先ＵＲＬが存在しないことから、ステップＳ４１３に進む。このステップＳ４１３では第２の課金参照先ＵＲＬが存在すると判断され、その後、上記ステップＳ４１０に戻り、第１の課金参照先ＵＲＬの場合の処理と同様の処理が実行される。
【００８２】
パターン２の課金情報は、例えば図１８に示す内容で表されるものとする。この図１８に示す課金情報においては、ＰＲＩＮＴＫＡＫＩＮタグ内に新たな課金参照先ＵＲＬ（ｈｔｔｐ：／／ｗｗｗ．ａｂｃｄ．ｃｏ．ｊｐ／ｐｒｉｎｔｅｒ＿ｐ＿ｋａｋｉｎ３．ｈｔｍｌ）が記述されている。すなわち、ＰＲＩＮＴＫＡＫＩＮタグ内のＫＡＫＩＮは課金金額そのものではなく、新たな課金参照先ＵＲＬとして記述されている。
【００８３】
なお、課金参照先ＵＲＬに基づく課金情報におけるＰＲＩＮＴＫＡＫＩＮタグ内に記述されている新たな課金参照先ＵＲＬに基づく課金情報におけるＰＲＩＮＴＫＡＫＩＮタグ内に、課金金額そのもの、または、さらに新たな課金参照先ＵＲＬが記述されていてもよい。
【００８４】
ここで、図１５を参照して説明する。ステップＳ４１０の処理において、第１の課金参照先ＵＲＬに基づく課金情報が上記パターン２の課金情報であった場合には、課金金額そのものが取得できるまで、ステップＳ４１０、Ｓ４１１およびステップＳ４１２の「ＹＥＳ」の処理が繰り返される。そして、ＰＲＩＮＴＫＡＫＩＮタグ内に新たな課金参照先ＵＲＬが記述されておらず、課金金額を取得できた場合には、ステップＳ４１３に進む。このステップＳ４１３では第２の課金参照先ＵＲＬが存在すると判断され、その後、上記ステップＳ４１０に戻り、第１の課金参照先ＵＲＬの場合の処理と同様の処理が実行される。
【００８５】
パターン３の課金情報は、例えば図１９に示す内容で表されるものとする。この図１９に示す課金情報においては、ＰＲＩＮＴＫＡＫＩＮタグ内に課金金額と新たな課金参照先ＵＲＬ（ｈｔｔｐ：／／ｗｗｗ．ａｂｃｄ．ｃｏ．ｊｐ／ｐｒｉｎｔｅｒ＿ｐ＿ｋａｋｉｎ４．ｈｔｍｌ）が記述されている。すなわち、ＰＲＩＮＴＫＡＫＩＮタグ内の２つのＫＡＫＩＮにおいては、１つは課金金額（１００円）そのもので記述され、もう一つは課金金額そのものではなく、新たな課金参照先ＵＲＬとして記述されている。
【００８６】
なお、課金参照先ＵＲＬに基づく課金情報におけるＰＲＩＮＴＫＡＫＩＮタグ内に記述されている新たな課金参照先ＵＲＬに基づく課金情報におけるＰＲＩＮＴＫＡＫＩＮタグ内に、課金金額そのもの、または、さらに新たな課金参照先ＵＲＬが記述されていてもよい。
【００８７】
ここで、図１５を参照して説明する。ステップＳ４１０の処理において、第１の課金参照先ＵＲＬに基づく課金情報が上記パターン３の課金情報であった場合には、ステップＳ４１０およびステップＳ４１１にて、上記前者のＫＡＫＩＮの参照のときは課金金額（この例では１００円）であるので、最終課金金額に取得した課金金額１００円が加算されるものの、後者のＫＡＫＩＮの参照のときは課金金額そのものではなく、新たな課金参照先ＵＲＬが記述されているので、この場合、最終課金金額は１００円のままである。
【００８８】
次にステップＳ４１２においては、ＰＲＩＮＴＫＡＫＩＮタグ内には新たな課金参照先ＵＲＬが記述されていると判断され（ステップＳ４１２で「ＹＥＳ」）、ステップＳ４１０に戻り、全ての課金金額を取得できるまで、ステップＳ４１０〜Ｓ４１２の処理が繰り返される。
【００８９】
そして、ステップＳ４１２においてＰＲＩＮＴＫＡＫＩＮタグ内には新たな課金参照先ＵＲＬが記述されていないと判断された場合には、ステップＳ４１３に進む。このステップＳ４１３では第２の課金参照先ＵＲＬが存在すると判断され、その後、上記ステップＳ４１０に戻り、第１の課金参照先ＵＲＬの場合の処理と同様の処理が実行される。
【００９０】
（実施の形態２）
図２０は、実施の形態２に係る印刷装置の概略構成を示す構成図である。この印刷装置４００は、図１に示した実施の形態１の印刷装置１００の構成において、インタフェース部１５０を削除した構成になっている。このため、印刷装置４００には、一対一で携帯電子機器は接続されない。なお、図２０において、図１に示した構成要素と同様の機能を果たす部分には同一の符号を付す。
【００９１】
図２１は、実施の形態２に係る印刷装置４００を含む印刷システムの概略構成を示す構成図である。この印刷システムにおいては、印刷装置４００と携帯電子機器２００とがインターネットなどのネットワーク３００に接続されている。また、携帯電子機器２００は、ネットワーク３００を介して印刷装置４００と接続されている。
【００９２】
携帯電子機器２００は、ネットワーク３００例えばインターネット上の所望の情報の場所情報（ＵＲＬ（Ｒｅｆ））を参照し、このＵＲＬ（Ｒｅｆ）をネットワーク３００を介して伝達する。携帯電子機器２００からのＵＲＬ（Ｒｅｆ）を取得した印刷装置４００は、実施の形態１の場合と同様の処理を実施するようになっているので、ここでは、その処理の説明については省略する。
【００９３】
【発明の効果】
以上説明したように、請求項１に記載の発明によれば、処理手段が、抽出手段により抽出された隠し情報に含まれる、課金情報が記録された記録場所を示す第３の場所情報に基づく参照先に存在する課金金額を取得するようにしたので、課金金額が改定された場合であっても、前記第３の場所情報に基づく参照先に存在する課金金額を変更するのみで良いこととなり、印刷情報を変更することなく、課金金額の改定（価格改定）に容易に対応可能な印刷装置を提供することができるという効果を奏する。
【００９４】
請求項２に記載の発明によれば、処理手段が、抽出手段により抽出された隠し情報に含まれる、課金情報が記録された記録場所を示す複数の第３の場所情報に基づく参照先に存在する複数の課金金額を取得すると共に、該取得した複数の課金金額を合計するようにしたので、複数の課金金額設定権利者に対応してそれぞれ課金金額（価格）を設定することができる。また、課金金額が改定（価格改定された場合であっても、前記第３の場所情報に基づく参照先に存在する課金金額を変更するのみで良いこととなり、印刷情報を変更することなく、課金金額の改定（価格改定）に容易に対応可能な印刷装置を提供することができるという効果を奏する。
【００９５】
請求項３に記載の発明によれば、処理手段が、抽出手段により抽出された隠し情報に含まれる上記第３の場所情報の参照先、すなわち次の課金情報または次以降の課金情報が記録された記録場所を示す第４の場所情報および課金金額、または前記第４の場所情報に基づく課金金額を取得し、該取得した課金金額を合計するようにしたので、課金金額の内部構造（コスト分担）を明確にすることができる。また、課金金額が改定（価格改定された場合であっても、前記第３の場所情報に基づく参照先に存在する課金金額を変更するのみで良いこととなり、印刷情報を変更することなく、課金金額の改定（価格改定）に容易に対応可能な印刷装置を提供することができるという効果を奏する。
【００９６】
請求項４に記載の発明によれば、処理手段が、抽出手段により抽出された隠し情報に含まれる上記複数の第３の場所情報の参照先、すなわち次の課金情報または次以降の課金情報が記録された記録場所を示す複数の第４の場所情報および課金金額、または前記複数の第４の場所情報に基づく複数の課金金額を取得し、該取得した複数の課金金額を合計するようにしたので、複数の課金金額設定権利者に対応してそれぞれ課金金額を設定することができると共に、課金金額の内部構造（コスト分担）を明確にすることができる。さらに、課金金額が改定（価格改定された場合であっても、前記第３の場所情報に基づく参照先に存在する課金金額を変更するのみで良いこととなり、印刷情報を変更することなく、課金金額の改定（価格改定）に容易に対応可能な印刷装置を提供することができるという効果を奏する。
【図面の簡単な説明】
【図１】実施の形態１の印刷装置の概略構成を示す構成図である。
【図２】図１に示した印刷装置を含む印刷システムの概略構成を示す構成図である。
【図３】印刷装置による課金金額印刷処理（第１の処理パターン）動作を示すフローチャートである。
【図４】課金金額印刷処理（第１の処理パターン）におけるホスト内ディレクトリｐｒｉｎｔｅｒ．ｈｔｍｌの内容の一例を示す図である。
【図５】課金金額印刷処理（第１の処理パターン）における課金参照先ＵＲＬに基づく課金情報の一例を示す図である。
【図６】印刷装置による課金金額印刷処理（第２の処理パターン）動作を示すフローチャートである。
【図７】課金金額印刷処理（第２の処理パターン）におけるホスト内ディレクトリｐｒｉｎｔｅｒ．ｈｔｍｌの内容の一例を示す図である。
【図８】課金金額印刷処理（第２の処理パターン）における第１の課金参照先ＵＲＬに基づく課金情報の一例を示す図である。
【図９】課金金額印刷処理（第２の処理パターン）における第２の課金参照先ＵＲＬに基づく課金情報の一例を示す図である。
【図１０】印刷装置による課金金額印刷処理（第３の処理パターン）動作を示すフローチャートである。
【図１１】課金金額印刷処理（第３の処理パターン）におけるホスト内ディレクトリｐｒｉｎｔｅｒ．ｈｔｍｌの内容の一例を示す図である。
【図１２】課金金額印刷処理（第３の処理パターン）における課金参照先ＵＲＬに基づく課金情報（パターン１）の一例を示す図である。
【図１３】課金金額印刷処理（第３の処理パターン）における課金参照先ＵＲＬに基づく課金情報（パターン２）の一例を示す図である。
【図１４】課金金額印刷処理（第３の処理パターン）における課金参照先ＵＲＬに基づく課金情報（パターン３）の一例を示す図である。
【図１５】印刷装置による課金金額印刷処理（第４の処理パターン）動作を示すフローチャートである。
【図１６】課金金額印刷処理（第４の処理パターン）におけるホスト内ディレクトリｐｒｉｎｔｅｒ．ｈｔｍｌの内容の一例を示す図である。
【図１７】課金金額印刷処理（第４の処理パターン）における課金参照先ＵＲＬに基づく課金情報（パターン１）の一例を示す図である。
【図１８】課金金額印刷処理（第４の処理パターン）における課金参照先ＵＲＬに基づく課金情報（パターン２）の一例を示す図である。
【図１９】課金金額印刷処理（第４の処理パターン）における課金参照先ＵＲＬに基づく課金情報（パターン３）の一例を示す図である。
【図２０】実施の形態２の印刷装置の概略構成を示す構成図である。
【図２１】図２０に示した印刷装置を含む印刷システムの概略構成を示す構成図である。
【符号の説明】
１００，４００　印刷装置
１１０　操作部
１２０　中央処理部
１２１　抽出手段
１２２　処理手段
１３０　記憶部
１４０　印刷部
１５０　インタフェース部
１６０　ネットワークインタフェース部
２００　携帯電子機器
３００　ネットワーク
【図１】
2004106425.tif 000003
【図２】
2004106425.tif 000004
【図３】
2004106425.tif 000005
【図４】
2004106425.tif 000006
【図５】
2004106425.tif 000007
【図６】
2004106425.tif 000008
【図７】
2004106425.tif 000009
【図８】
2004106425.tif 000010
【図９】
2004106425.tif 000011
【図１０】
2004106425.tif 000012
【図１１】
2004106425.tif 000013
【図１２】
2004106425.tif 000014
【図１３】
2004106425.tif 000015
【図１４】
2004106425.tif 000016
【図１５】
2004106425.tif 000017
【図１６】
2004106425.tif 000018
【図１７】
2004106425.tif 000019
【図１８】
2004106425.tif 000020
【図１９】
2004106425.tif 000021
【図２０】
2004106425.tif 000022
【図２１】
2004106425.tif 000023